(57)【要約】【課題】部品点数を低減して製造を容易に行うことができるとともに、クッションパッドの発泡成形時にスピーカを容易にインサートすることができるヘッドレストを提供する。【解決手段】上下逆向きのステー部材１１の上部（図１の下部）にヘッドレストコア１２を取り付ける。このヘッドレストコア１２を成形型２１のキャビティＫに収容し、発泡樹脂材により型成形されたクッションパッド１３に埋設する。第２型２３の内面に立設された複数の支持ピン２９を介してフィルムスピーカ１７を支持し、クッションパッド１３の内部の前記ヘッドレストコア１２の前方に該フィルムスピーカ１７を埋設する。前記フィルムスピーカ１７に接続されたリード線１９をステー部材１１に形成された導入孔１１ｂからその内部に導入し、脚部１１ａの下端（図１の上端）開口から導出する。【選択図】図１
2008295596.tif 000002
【特許請求の範囲】
【請求項１】
一対の脚部を有するステー部材の上部を埋設して成形されたクッションパッドの表面に袋状の表皮を被覆したヘッドレストにおいて、
前記クッションパッドの内部にフィルムスピーカを埋設し、前記ステー部材の上部とフィルムスピーカの後面との間及びフィルムスピーカの前面と表皮との間に前記クッションパッドを介在したことを特徴とするヘッドレスト。  
【請求項２】
請求項１において、前記フィルムスピーカに接続されたリード線は、前記ステー部材を構成するパイプに形成された導入孔から内部に導入され脚部の下端開口から導出されていることを特徴とするヘッドレスト。
【請求項３】
請求項１又は２において、前記フィルムスピーカは、ヘッドレストの左右方向又は上下方向に関して、中央部ほど後方に変位する円弧状に埋設されていることを特徴とするヘッドレスト。
【請求項４】
請求項１〜３のいずれか一項において、前記クッションパッドの内部には、前記ステー部材の上部に設けられたヘッドレストコアが埋設され、該コアの前面とフィルムスピーカとの間には前記クッションパッドが介在されていることを特徴とするヘッドレスト。
【請求項５】
請求項１〜４のいずれか一項において、前記フィルムスピーカの前面と対応するクッションパッドには、前後方向に指向する複数の孔が形成されていることを特徴とするヘッドレスト。
【請求項６】
成形型を構成する開閉可能な複数の分割型のうちクッションパッドの前面を成形する分割型の成形面に対し、フィルムスピーカを支持する支持ピンを複数箇所に立設した成形型を用いて、
前記成形型のキャビティ内にステー部材の上部を収容するとともに、一対の脚部を成形型の外部に導出し、前記各支持ピンによりフィルムスピーカを支持する工程と、
前記成形型のキャビティに発泡樹脂原料を供給して、前記クッションパッドを発泡成形し、該クッションパッドの内部に前記フィルムスピーカを埋設する工程と、
前記成形型を型開きして成形されたクッションパッド及びフィルムスピーカから前記支持ピンを分離する工程と、
上記工程の後にクッションパッドの表面に表皮を被覆する工程と
を含むことを特徴とするヘッドレストの製造方法。
【請求項７】
請求項６において、前記フィルムスピーカは、前記複数の支持ピンの高さを相違させることにより左右方向又は上下方向に関して中央部が後方に変位するように構成されていることを特徴とするヘッドレストの製造方法。
【請求項８】
請求項６に記載のヘッドレストの製造方法に用いられる成形型において、該成形型を構成する開閉可能な複数の分割型のうちクッションパッドの前面側を成形する分割型の成形面に対し、前記フィルムスピーカを支持する複数の支持ピンを設けたことを特徴とするヘッドレストの製造方法に用いられる成形型。
【発明の詳細な説明】
【技術分野】
【０００１】
本発明は、例えば自動車等のシートの背もたれの上部に装着されるヘッドレストに関するものであって、特にスピーカ付きヘッドレスト及びその製造方法並びに成形型に関する。
【背景技術】
【０００２】
スピーカを備えた自動車用シートとして、特許文献１に開示されたものが提案されている。このシートの上部にはヘッドレストが設けられ、該ヘッドレストを構成する後部パッドに芯体となるヘッドレストブラケットが埋設されている。前記後部パッドには凹部が成形され、該凹部にスピーカが収容され、該スピーカは前記ブラケットに対しボルトとナットにより取り付けられている。さらに、前記凹部の開口部は前部パッドにより遮蔽され、該前部パッドの表面が表皮により被覆されている。
【０００３】
又、車載シート用ピロースピーカ装置として、特許文献２に開示されたものが提案されている。このピロースピーカ装置は、弾性体の内部に枠体を収容し、弾性体の前面に開口部を設け、この開口部の前面を硬質の樹脂カバーで覆い、該カバーの裏面に取り付けられたスピーカユニットを前記開口部に収容し、前記カバーをボルトにより前記枠体に取り付け、前記カバーの前面を保護用弾性体で被覆するようにしている。
【特許文献１】実開平２−９２７４９号公報
【特許文献２】特開平５−２６２１８４号公報
【発明の開示】
【発明が解決しようとする課題】
【０００４】
ところが、特許文献１に開示されたスピーカを備えた自動車用シートは、後部パッドに芯体となるヘッドレストブラケットが埋設され、後部パッドに形成された凹部にスピーカが収容され、該スピーカは前記ブラケットに対しボルトとナットにより取り付けられている。このため、特許文献１に記載されたヘッドレストと同様に、スピーカの取付部品の点数が多くなるとともに、重量及び体積が増大するので、剛性のある取付座が必要となり、製造及び組付けが面倒であるという問題があった。
【０００５】
又、特許文献２に開示された車載シート用ピロースピーカ装置は、前記カバーにスピーカを取り付けるとともに、前記枠体にカバーを取り付ける必要があるので、特許文献１に記載されたヘッドレストと同様に、スピーカの取付部品の点数が多くなるとともに、重量及び体積が増大するので、剛性のある取付座が必要となり、製造及び組付けが面倒であるという問題があった。
【０００６】
特許文献１又は２に記載されたスピーカは、磁気回路等を設けた立体的な動電形のものであるため、ヘッドレストを構成するクッションパッドの内部にスピーカをインサートしようとすると、ブラケット等の芯材にスピーカを支持する部品が必要になるばかりでなく、スピーカの振動板にクッションパッドが接触しないようにするための工夫が必要となる。従って、クッションパッドの成形時にスピーカをインサートすることが非常に難しいという問題があった。
【０００７】
本発明は、スピーカの取付部品の点数を低減して製造を容易に行うことができるとともに、クッションパッドの発泡成形時にスピーカを容易にインサートすることができるヘッドレスト及びその製造方法並びに成形型を提供することにある。
【課題を解決するための手段】
【０００８】
上記問題点を解決するために、請求項１に記載の発明は、一対の脚部を有するステー部材の上部を埋設して成形されたクッションパッドの表面に袋状の表皮を被覆したヘッドレストにおいて、前記クッションパッドの内部にフィルムスピーカを埋設し、前記ステー部材の上部とフィルムスピーカの後面との間及びフィルムスピーカの前面と表皮との間に前記クッションパッドを介在したことを要旨とする。
【０００９】
請求項２に記載の発明は、請求項１において、前記フィルムスピーカに接続されたリード線は、前記ステー部材を構成するパイプに形成された導入孔から内部に導入され脚部の下端開口から導出されていることを要旨とする。
【００１０】
請求項３に記載の発明は、請求項１又は２において、前記フィルムスピーカは、ヘッドレストの左右方向又は上下方向に関して、中央部ほど後方に変位する円弧状に埋設されていることを要旨とする。
【００１１】
請求項４に記載の発明は、請求項１〜３のいずれか一項において、前記クッションパッドの内部には、前記ステー部材の上部に設けられたヘッドレストコアが埋設され、該コアの前面とフィルムスピーカとの間には前記クッションパッドが介在されていることを要旨とする。
【００１２】
請求項５に記載の発明は、請求項１〜４のいずれか一項において、前記フィルムスピーカの前面と対応するクッションパッドには、前後方向に指向する複数の孔が形成されていることを要旨とする。
【００１３】
請求項６に記載の発明は、成形型を構成する開閉可能な複数の分割型のうちクッションパッドの前面を成形する分割型の成形面に対し、フィルムスピーカを支持する支持ピンを複数箇所に立設した成形型を用いて、前記成形型のキャビティ内にステー部材の上部を収容するとともに、一対の脚部を成形型の外部に導出し、前記各支持ピンによりフィルムスピーカを支持する工程と、前記成形型のキャビティに発泡樹脂原料を供給して、前記クッションパッドを発泡成形し、該クッションパッドの内部に前記フィルムスピーカを埋設する工程と、前記成形型を型開きして成形されたクッションパッド及びフィルムスピーカから前記支持ピンを分離する工程と、上記工程の後にクッションパッドの表面に表皮を被覆する工程とを含むことを要旨とする。
【００１４】
請求項７に記載の発明は、請求項６において、前記フィルムスピーカは、前記複数の支持ピンの高さを相違させることにより左右方向又は上下方向に関して中央部が後方に変位するように構成されていることを要旨とする。
【００１５】
請求項８に記載の発明は、請求項６に記載のヘッドレストの製造方法に用いられる成形型において、該成形型を構成する開閉可能な複数の分割型のうちクッションパッドの前面側を成形する分割型の成形面に対し、前記フィルムスピーカを支持する複数の支持ピンを設けたことを要旨とする。
【００１６】
（作用）
この発明はフィルムスピーカの前後面がクッションパッドにより保持されているので、フィルムスピーカを例えばステー部材や該ステー部材に取り付けられたクッションコア等の芯材に取り付ける必要がなくなり、スピーカを芯材に取り付けるための取付部品が不要となる。
【発明の効果】
【００１７】
本発明によれば、芯材へのフィルムスピーカの取付部品が不要となるので、部品点数を低減して製造を容易に行うことができる。又、フィルムスピーカはクッションパッドの内部に埋設されるので、成形型の成形面に取り付けられた支持ピンによりフィルムスピーカを支持することにより、クッションパッドの発泡成形時にフィルムスピーカをクッションパッド内に容易にインサートすることができる。
【発明を実施するための最良の形態】
【００１８】
以下、本発明のヘッドレストを自動車のシートの上部に設けたヘッドレストに具体化した一実施形態を図１〜図６に従って説明する。
最初に、図４〜図６に基づいて、ヘッドレストの構成について説明すると、このヘッドレストは、図４及び図５に示すように一対の脚部１１ａを有するステー部材１１の上部に合成樹脂製のヘッドレストコア１２を設け、該ヘッドレストコア１２を埋設して成形された発泡ウレタンよりなるクッションパッド１３の表面に天然皮革、合成皮革又はファブリック等よりなる袋状の表皮１４を被覆して構成されている。前記クッションパッド１３の内部には前記ヘッドレストコア１２の前面と表皮１４との間に位置するように圧電形のフィルムスピーカ１７が埋設されている。このフィルムスピーカ１７は、電圧の変動にともなって振動する圧電素子のフィルムにより構成されている。図５に示すようにフィルムスピーカ１７はクッションパッド１３内に左右方向の中央部ほど後方に変位する円弧状に埋設されている。前記クッションパッド１３には、前記フィルムスピーカ１７の前面と表皮１４との間に位置するように、かつフィルムスピーカ１７の後述する支持ピン２９によってクッションパッド１３の発泡成形時に成形される複数の孔１３ａが設けられている。前記フィルムスピーカ１７に接続されたリード線１９の先端は図６に示すように前記脚部１１ａのうち１本の脚部１１ａに形成された導入孔１１ｂから脚部１１ａの内部に導入された後、脚部１１ａの下端開口から外部に導出され、車室内等に設けられた図示しないアンプに接続されるようにしている。前記導入孔１１ｂの直径はリード線１９との間の隙間が小さくなるように設定され、後述するクッションパッド１３の発泡成形時に樹脂がステー部材１１内に侵入しないようにしている。
【００１９】
次に、前記のように構成されたヘッドレストの製造方法に用いられる成形型２１の構成について説明すると、この成形型２１は図１に示すように、第１型２２と第２型２３をヒンジ機構２４により開閉可能に連結するとともに、前記第１型２２に対しヒンジ機構２５を介して、第３型２６を開閉可能に連結し、さらに前記第２型２３の上部に対しヒンジ機構２７を介して第４型２８を開閉可能に連結して構成されている。前記第２型２３の内面には、複数本（この実施形態では図２に示すように５本）の支持ピン２９が片持ち支持されている。この支持ピン２９は前記第２型２３の成形面に形成された図３に示すネジ孔２３ａに螺合される雄ネジ部２９ａと、前記フィルムスピーカ１７に形成された係止孔１７ａに係止される小径部２９ｂとを備えている。そして、中央の支持ピン２９を高くして図２に示すように、前記複数本の支持ピン２９に対しフィルムスピーカ１７を左右方向の中央部ほど第２型２３の成形面から遠くなるように緩やかな円弧状に湾曲するように支持されるようにしている。
【００２０】
次に、前記のように構成された成形型２１を用いてヘッドレストを製造する方法について説明する。
最初に、図６に二点鎖線で示すように、ステー部材１１にヘッドレストコア１２を装着し、フィルムスピーカ１７に接続されたリード線１９を脚部１１ａの導入孔１１ｂから脚部１１ａ内に挿通した後、脚部１１ａの先端開口から導出する。
【００２１】
次に、図１の成形型を開放した状態で、第２型２３の各支持ピン２９の小径部２９ｂにフィルムスピーカ１７に形成された係止孔１７ａを挿入するとともに、小径部２９ｂの付け根部の段差面に係止して、フィルムスピーカ１７が円弧状に湾曲した状態に保持されるように第２型２３に装着する。その後、ヘッドレストコア１２を成形型２１のキャビティＫ内に収容するとともに、ステー部材１１の一対の脚部１１ａを第３型２６と第４型２８との間の型合わせ面間に保持する。
【００２２】
次に、図１に示すように、前記第４型２８に形成された樹脂注入孔２８ａから発泡ウレタン等の発泡樹脂原料を成形型２１のキャビティＫの内部に供給する。
前記キャビティＫ内において発泡樹脂原料が発泡硬化されて、クッションパッド１３が発泡成形された後、前記成形型２１の第１型２２及び第２型２３を型開きするとともに、第３型２６及び第４型２８を型開きしてキャビティ内部からクッションパッド１３をステー部材１１と共に取り出す。前記第２型２３からクッションパッド１３が分離されるときに、クッションパッド１３内にフィルムスピーカ１７が埋設されているので、支持ピン２９の小径部２９ｂが係止孔１７ａから引き離される。
【００２３】
図４に示す取り出し状態においては、クッションパッド１３に対し、各支持ピン２９によって複数箇所に孔１３ａが成形される。そして、クッションパッド１３の外周面に前記表皮１４を被覆することにより図４及び図５に示すヘッドレストの製造作業が終了する。
【００２４】
次に、前記のように構成されたヘッドレストの動作について説明する。
図４及び図５に示すヘッドレストのフィルムスピーカ１７に図示しないアンプからリード線１９を通して電圧が印加されると、フィルムスピーカ１７を構成する圧電素子が振動され、この振動により音声が発生される。前記スピーカ１７の前後面は、弾性変形可能なクッションパッド１３により保持されているので、スピーカの振動が許容される。
【００２５】
上記実施形態のヘッドレスト及びその製造方法によれば、以下のような効果を得ることができる。
（１）上記実施形態では、前記クッションパッド１３の内部にフィルムスピーカ１７が埋設されている。このため、フィルムスピーカ１７を例えばステー部材１１や該ステー部材１１に取り付けられたヘッドレストコア１２等の芯材に取り付ける構成とは異なり、取付部品が不要となり、部品点数を低減して製造を容易に行うことができる。
【００２６】
（２）上記実施形態では、図４に示すように、前記ヘッドレストコア１２の前方に弾性変形可能なクッションパッド１３を介してフィルムスピーカ１７が埋設され、フィルムスピーカ１７の前面にもクッションパッド１３が接触されているので、フィルムスピーカ１７の音声発生時の振動が適正に許容される。又、フィルムスピーカ１７から後方に伝播された音声は、ヘッドレストコア１２の前面によって前方に反射されるので、前方への音量を向上することができる。
【００２７】
（３）上記実施形態では、図１及び図２に示すように、第２型２３の成形面に支持ピン２９を立設し、該支持ピン２９の小径部２９ｂをフィルムスピーカ１７の係止孔１７ａに係止することにより該スピーカ１７を支持するようにした。このため、クッションパッド１３の発泡成形時にスピーカ１７をクッションパッド１３の内部に容易にインサートすることができる。
【００２８】
（４）上記実施形態では、クッションパッド１３内にフィルムスピーカ１７が埋設されるとともに、フィルムスピーカ１７自体も容易に変形する性質を備えているので、人の後頭部がヘッドレストの前面に押圧されても、異物が埋設されているような感触はなく、ヘッドレストとしてのクッション機能を適正に維持することができる。
【００２９】
（５）上記実施形態では、前記第２型２３の成形面に複数の支持ピン２９を立設してフィルムスピーカ１７を装着し、クッションパッド１３の発泡成形終了後に、フィルムスピーカ１７から支持ピン２９を離隔し、クッションパッド１３に孔１３ａを形成するようにした。このため、孔１３ａによってフィルムスピーカ１７から発生される音声が孔１３ａを通して前方に伝達され易くなり音質を向上することができる。
【００３０】
（６）上記実施形態では、フィルムスピーカ１７を用いたので、その振動面積を広くすることができ、ヘッドレストの広範囲で音声を発生させることができる。
（７）上記実施形態では、複数の支持ピン２９の直径寸法を変更することにより、クッションパッド１３の孔１３ａの開口率（直径寸法）を自由に調整することができ、スピーカの音響特性を向上することができる。
【００３１】
（８）上記実施形態では、フィルムスピーカ１７を用いたので、その面積を広くすることができる。このため、前記支持ピン２９により成形された各孔１３ａを分散することができ、各孔１３ａを集中して設ける必要がなく、クッションパッド１３の剛性が低下することはない。  
【００３２】
（９）上記実施形態では、図５に示すように、フィルムスピーカ１７を左右方向の中央部ほど後方に変位する円弧状に収容したので、該フィルムスピーカ１７から発生する音声をフィルムスピーカ１７の前方中央部に指向させることができる。このため、可聴音量を高めることができる。
【００３３】
なお、上記実施形態は以下のように変更してもよい。
・図７に示すように、前記クッションパッド１３の側面に前記リード線１９に接続された雌型のコネクタ端子３５をインサートしてもよい。前記第２型２３には図示しないが前記コネクタ端子３５を支持するための支持具が設けられている。前記コネクタ端子３５には図示しないアンプに接続されたリード線に接続された雄型のコネクタ端子が接続されるようになっている。
【００３４】
・図８（ａ）に示すように、前記フィルムスピーカ１７を、上下方向に関して中央部ほど後方になるように円弧状に湾曲したり、同図（ｂ）に示すように左右方向に関して中央部ほど前方に変位する円弧状に湾曲したり、同図（ｃ）に示すように平面状にしたりしてもよい。
【００３５】
・図９に示すように、フィルムスピーカ１７を例えば左右方向に所定の間隔をおいて二箇所に埋設して、ステレオの音声を発生させるようにしてもよい。
・前記孔１３ａにクッションパッド１３と同じ材料を充填するようにしてもよい。
【００３６】
・前記ヘッドレストコア１２を省略したヘッドレストに具体化してもよい。
・自動車のシート以外のシートのヘッドレストに具体化してもよい。
【図面の簡単な説明】
【００３７】
【図１】この発明のヘッドレストの製造に用いられる成形型の縦断面図。
【図２】フィルムスピーカ及び支持ピンの斜視図。
【図３】第２型に対するフィルムスピーカの支持構造を示す部分断面図。
【図４】ヘッドレストの縦断面図。
【図５】ヘッドレストの平断面図。
【図６】ステー部材、ヘッドレストコア及びフィルムスピーカを示す斜視図。
【図７】この発明の別の実施形態を示すヘッドレストの斜視図。
【図８】（ａ）〜（ｃ）は、フィルムスピーカの埋設形態の別例を示す斜視図。
【図９】この発明の別の実施形態を示すクッションパッドとフィルムスピーカとの関係を示す平面図。
【符号の説明】
【００３８】
Ｋ…キャビティ、１１…ステー部材、１１ａ…脚部、１１ｂ…導入孔、１２…ヘッドレストコア、１３…クッションパッド、１３ａ…成形孔、１４…表皮、１７…フィルムスピーカ、１９…リード線、２１…成形型、２９…支持ピン。
【図１】
2008295596.tif 000003
【図２】
2008295596.tif 000004
【図３】
2008295596.tif 000005
【図４】
2008295596.tif 000006
【図５】
2008295596.tif 000007
【図６】
2008295596.tif 000008
【図７】
2008295596.tif 000009
【図８】
2008295596.tif 000010
【図９】
2008295596.tif 000011